(57)【要約】【課題】  受光素子の応答速度がレーザ光の変調速度によって決まる必要応答速度に対して十分な性能を有さない場合においても、レーザ光源から出力するレーザパワーを目標パワーに制御するこのとできる光ディスク装置を提供することを目的とする。【解決手段】  受光素子６の応答速度がレーザ光の変調速度によって決まる必要応答速度に対して十分な性能を有さない場合においても、記録開始直後の所定期間に、レーザ光源２から出力されるレーザ光の目標パワーに対応する制御目標電圧を学習し、以後各レーザパワーの出力区間において、この制御目標電圧を用いてレーザパワーを制御することによりレーザ光源２から出力するレーザパワーを目標パワーに制御することができる。【選択図】  図１
2005116110.tif 000002
【特許請求の範囲】
【請求項１】
光ディスクに照射するレーザ光を変調することにより光ディスクに情報を記録する光ディスク装置であって、
前記光ディスクにレーザ光を照射するレーザ光源と、
前記レーザ光源からの出力光を受光して電圧信号に変換する受光素子と、
前記受光素子から出力する前記電圧信号を入力し前記レーザ光源から出力される各レーザパワーの出力区間の電圧信号をサンプリングするサンプル／ホールド回路と、
前記レーザ光源に供給するレーザ電流によりレーザ光の出力パワーを調整するレーザ駆動回路と、
前記レーザ光の出力パワーが目標パワーとなるように前記目標パワーが出力する制御目標電圧と前記電圧信号の電圧が一致するように前記レーザ駆動回路が供給するレーザ電流を制御するパワー制御回路と
を有し、前記制御目標電圧を記録開始直後の所定期間に学習することを特徴とする光ディスク装置。
【請求項２】
前記記録開始直後の所定期間には、前記パワー制御回路を停止して前記レーザ駆動回路から供給するレーザ電流を固定値とすることを特徴とする請求項１記載の光ディスク装置。
【請求項３】
前記記録開始直後の所定期間に前記レーザ駆動回路に設定される前記レーザ電流の固定値は、記録開始前に予め決定しておくことを特徴とする請求項２記載の光ディスク装置。
【請求項４】
前記前記制御目標電圧として、過去に学習した制御目標電圧を用いることを特徴とする請求項１記載の光ディスク装置。
【発明の詳細な説明】
【技術分野】
【０００１】
本発明は、光ディスクに情報を記録することができる光ディスク装置において、レーザ光源からの出力パワーを制御する技術に関する。
【背景技術】
【０００２】
従来の光ディスク装置は、光ディスクにレーザ光を照射するレーザ光源と、レーザ光源からの出力光を受光して電圧信号に変換する受光素子と、受光素子の出力電圧信号をレーザ光源から出力される各レーザパワーの出力区間においてサンプリングするサンプル／ホールド回路と、レーザ光源にレーザ電流を供給するレーザ駆動回路と、サンプル／ホールド回路でサンプルリングされた各レーザパワーに対する電圧レベルが目標パワーに対応する制御目標電圧に一致するようにレーザ駆動回路を操作するパワー制御回路を有し、レーザ光源から出力されるレーザ光を変調して光ディスク上に情報を記録する場合には、変調されたレーザ光の各パワーレベル出力区間を所定のタイミングでサンプリングすることにより各パワーレベルを検知し、その検知した各パワーレベルが対応する各目標パワーに一致するように、パワー制御回路を制御している。（例えば、特許文献１参照）
【特許文献１】特開２００１−２９７４６６号公報
【発明の開示】
【発明が解決しようとする課題】
【０００３】
しかしながら、前記従来の構成では、受光素子の応答速度がレーザ光の変調速度によって決まる必要応答速度に対して十分な性能を有さない場合、受光素子から出力される電圧信号波形が鈍ってしまうため、その電圧信号をサンプル／ホールドした結果は実際のレーザパワーに対応する電圧レベルからオフセットしてしまい、パワー制御回路にて正確にレーザパワーを検知できないため、レーザ光源から出力されるレーザパワーが、目標パワーと異なるパワーに制御されてしまうという課題を有していた。
【０００４】
本発明は、前記従来の課題を解決するもので、受光素子の応答速度がレーザ光の変調速度によって決まる必要応答速度に対して十分な性能を有さない場合においても、レーザ光源から出力するレーザパワーを目標パワーに制御することのできる光ディスク装置を提供することを目的とする。
【課題を解決するための手段】
【０００５】
前記目的を達成するために、本発明の請求項１記載の光ディスク装置は、光ディスクに照射するレーザ光を変調することにより光ディスクに情報を記録する光ディスク装置であって、前記光ディスクにレーザ光を照射するレーザ光源と、前記レーザ光源からの出力光を受光して電圧信号に変換する受光素子と、前記受光素子から出力する前記電圧信号を入力し前記レーザ光源から出力される各レーザパワーの出力区間の電圧信号をサンプリングするサンプル／ホールド回路と、前記レーザ光源に供給するレーザ電流によりレーザ光の出力パワーを調整するレーザ駆動回路と、前記レーザ光の出力パワーが目標パワーとなるように前記目標パワーが出力する制御目標電圧と前記電圧信号の電圧が一致するように前記レーザ駆動回路が供給するレーザ電流を制御するパワー制御回路とを有し、前記制御目標電圧を記録開始直後の所定期間に学習することを特徴とする。
【０００６】
請求項２記載の光ディスク装置は、請求項１記載の光ディスク装置において、前記記録開始直後の所定期間には、前記パワー制御回路を停止して前記レーザ駆動回路から供給するレーザ電流を固定値とすることを特徴とする。
【０００７】
請求項３の光ディスク装置は、請求項２記載の光ディスク装置において、前記記録開始直後の所定期間に前記レーザ駆動回路に設定される前記レーザ電流の固定値は、記録開始前に予め決定しておくことを特徴とする。
【０００８】
請求項４記載の光ディスク装置は、請求項１記載の光ディスク装置において、前記前記制御目標電圧として、過去に学習した制御目標電圧を用いることを特徴とする。
以上により、受光素子の応答速度がレーザ光の変調速度によって決まる必要応答速度に対して十分な性能を有さない場合においても、レーザ光源から出力するレーザパワーを目標パワーに制御するこのとできる光ディスク装置を提供することができる。
【発明の効果】
【０００９】
本発明の光ディスク装置によると、受光素子の応答速度がレーザ光の変調速度によって決まる必要応答速度に対して十分な性能を有さない場合においても、記録開始直後の所定期間に、前記レーザ光源から出力されるレーザ光の目標パワーに対応する制御目標電圧を学習し、以後各レーザパワーの出力区間において、この制御目標電圧を用いてレーザパワーを制御することによりレーザ光源から出力するレーザパワーを目標パワーに制御することができる。
【発明を実施するための最良の形態】
【００１０】
以下に、本発明の光ディスク装置の実施の形態を図面とともに詳細に説明する。
図１は、本発明の光ディスク装置の構成図を示す。
図２は、本発明の受光素子出力電圧波形鈍りによるレーザパワーへの影響を説明する図を示す。
【００１１】
図３は、本発明の光ディスク装置におけるレーザパワー制御方法を説明する図を示す。
図１において、光ディスク１には、レーザ光源２から出力されたレーザ光が、ビームスプリッタ３と対物レンズ４を介して照射される。レーザ光源２は、例えば、レーザダイオードであり、レーザ駆動回路５から供給されるレーザ電流により、レーザ光を出力する。レーザ駆動回路５は、例えば、レーザドライバＩＣであり、電流と変調パルスを多チャンネル入力することにより、レーザ電流を変調することができる。ビームスプリッタ３では、レーザ光源２から出力されたレーザ光の大部分が対物レンズ４の方向に立ち上げられ、レーザ光の一部が透過して受光素子６に入力される。受光素子６は、例えば、フォトディテクタとＩ−Ｖ変換器から構成されており、入力されるレーザ光波形を電圧信号に変換する。一般に、レーザ光源２、ビームスプリッタ３、対物レンズ４、レーザ駆動回路５、受光素子６は、光ピックアップユニットに含まれている。
【００１２】
レーザ光源２から出力されるレーザパワーの制御方法は、概ね以下のように行われる。受光素子６で変換された電圧信号は、サンプル／ホールド回路７に入力され、各レーザパワー出力区間の電圧信号が、所定のタイミングでサンプリングされる。サンプリングのタイミングは、パルス発生回路８から供給されるサンプル／ホールドパルスで管理され、サンプリングされた各レーザパワー出力区間における電圧信号は、電圧検出回路９に入力される。ここで、パルス発生回路８は、例えば、ＣＤ／ＤＶＤエンコードＩＣであり、上位装置から送られてきたデータを所定のデータフォーマットに変換し、光ディスク１に記録する波形パターンに対応した変調パルスを生成するとともに、各サンプル／ホールドのタイミングを管理することができる。電圧検出回路９は、例えば、Ａ／Ｄコンバータであり、入力電圧レベルをＣＰＵ１０で検出することにより、各レーザパワー出力区間における受光素子６の検出電圧を知ることができる。ＣＰＵ１０では、各レーザパワー出力区間の出力パワーが目標パワーとなるときの検出電圧を制御目標電圧として予め取得しており、各レーザパワー出力区間の検出電圧と対応する制御目標電圧を比較し、各レーザパワー出力区間の検出電圧と対応する制御目標電圧が一致するように、レーザ光源２から出力するレーザパワーを調整する。レーザ光源２に供給するレーザ電流の大きさは、電圧発生回路１１からレーザ駆動回路５に供給する電流量によって決定される。電圧発生回路１１は、例えばＤ／Ａコンバータであり、ＣＰＵ１０により設定値を操作することにより、電圧発生回路１１からレーザ駆動回路５に供給する電流量を調整することができる。
【００１３】
レーザ光源２から出力するレーザパワーを、ライトパワーとバイアスパワーの２値に変調して光ディスク１に情報を記録する場合について説明する。記録中は、図２に示すように、レーザ光源２から出力されるレーザ光が変調され、ライトパワーとバイアスパワーが交互に切り替わりながら出力される。ここで、ライトパワーは光ディスク１上にマークと呼ばれる低反射率の部分を作るために照射されるパワーであり、バイアスパワーはスペースと呼ばれる高反射率の部分を作るために照射されるパワーである。このマークとスペースの長さは、例えば、ＣＤの場合には基本クロックの３倍から１１倍、ＤＶＤの場合には基本クロックの３倍から１４倍であり、これらの異なる長さのマークおよびスペースの組合せパターンを光ディスク１に記録することで、情報を記録することができる。受光素子６の応答速度が、ライトパワーとバイアスパワーの切り替わる速度に対して十分な性能を有していなければ、受光素子６の出力電圧信号波形が鈍ってしまう。この電圧信号波形を、サンプル／ホールド回路７でサンプル／ホールドし、電圧検出回路９を介してＣＰＵ１０でライトパワー出力区間の電圧とバイアスパワー出力区間の電圧を各々検出した場合、各々の検出電圧が、目標ライトパワーおよび目標バイアスパワーに対応する実際の電圧からオフセットしてしまうため、通常は、受光素子６の出力電圧信号波形の鈍りの影響が少ないマーク長およびスペース長に対するライトパワー出力区間およびバイアスパワー出力区間において、サンプル／ホールドを行う。しかしながら、最長マークに対するライトパワー出力区間および最長スペースに対するバイアスパワー出力区間においても、受光素子６の応答速度不足により波形鈍りの影響が大きい場合、ライトパワー出力区間およびバイアスパワー出力区間における検出電圧がオフセットしてしまう。このオフセットした検出電圧をもとにレーザパワーを制御すると、図２に示すように、ライトパワーおよびバイアスパワーが、各々目標ライトパワーおよび目標バイアスパワーと異なるパワーに制御されてしまう。
【００１４】
このような問題を解決するため、図３に示すように、記録開始直後の所定期間は、レーザ駆動回路５からレーザ光源２に供給するレーザ電流が一定値となるようにＣＰＵ１０から電圧発生回路１１に設定する値を固定値とし、ライトパワー出力区間における電圧とバイアスパワー出力区間における電圧を各々ＣＰＵ１０で取得し、これらの電圧を所定期間内で平均化して、各々平均化された電圧を、ライトパワー出力区間における制御目標電圧、バイアスパワー出力区間における制御目標電圧として学習する。
【００１５】
記録開始直後の所定期間にレーザ駆動回路５からレーザ光源２に供給するレーザ電流値は、図３に示すように、記録動作を実行するよりも以前に設けられたレーザ電流学習期間に学習しておく。このレーザ電流学習期間では、受光素子６の応答速度の影響を受けないくらい十分に長い期間で、ライトパワーおよびバイアスパワーをテスト発光し、目標ライトパワーおよび目標バイアスパワーに対応するレーザ電流値を学習する。
【００１６】
記録開始直後の所定期間において、ライトパワー出力区間における制御目標電圧とバイアスパワー出力区間における制御目標電圧を学習した後は、ＣＰＵ１０で検出するライトパワー出力区間における電圧とバイアスパワー出力区間における電圧が、各々ライトパワー出力区間における制御目標電圧とバイアスパワー出力区間における制御目標電圧に一致するように、ＣＰＵ１０で電圧発生回路１１の設定を操作し、レーザ駆動回路５からレーザ光源２に供給するレーザ電流量を調整する。
【００１７】
一度、ライトパワー出力区間における制御目標電圧とバイアスパワー出力区間における制御目標電圧を学習すると、目標ライトパワーおよび目標バイアスパワー、または記録速度が変わらない限り、既に学習された制御目標電圧を利用するようなこともできる。
【００１８】
以上のように、本発明の光ディスク装置においては、記録開始直後の所定期間にレーザ光源２に供給するレーザ電流を一定値とした状態で、ライトパワー出力区間とバイアスパワー出力区間における制御目標電圧を学習し、学習後は、ライトパワー出力区間とバイアスパワー出力区間の検出電圧が各制御目標電圧に一致するようにレーザパワー制御を行うことにより、受光素子６の応答速度がレーザ光の変調速度によって決まる必要応答速度に対して十分な性能を有さない場合においても、レーザ光源から出力するレーザパワーを目標パワーに制御することができる。
【００１９】
以上の説明では、ライトパワーとバイアスパワーの２値の場合について述べたが、３値以上の場合についても、同様な方法を用いることができる。
また、制御目標電圧設定中のレーザ電流値は、あらかじめ任意に設定しておくこともできる。
【産業上の利用可能性】
【００２０】
本発明にかかる光ディスク装置は、受光素子の応答速度がレーザ光の変調速度によって決まる必要応答速度に対して十分な性能を有さない場合においても、レーザ光源から出力するレーザパワーを目標パワーに制御することを可能にし、光ディスクに情報を記録することができる光ディスク装置等として有用である。
【図面の簡単な説明】
【００２１】
【図１】本発明の実施の形態１における光ディスク装置の構成図
【図２】本発明の受光素子出力電圧波形鈍りによるレーザパワーへの影響を説明する図
【図３】本発明の光ディスク装置におけるレーザパワー制御方法を説明する図
【符号の説明】
【００２２】
１    光ディスク
２    レーザ光源
３    ビームスプリッタ
４    対物レンズ
５    レーザ駆動回路
６    受光素子
７    サンプル／ホールド回路
８    パルス発生回路
９    電圧検出回路
１０    ＣＰＵ
１１    電圧発生回路
【図１】
2005116110.tif 000003
【図２】
2005116110.tif 000004
【図３】
2005116110.tif 000005